(57)【要約】【課題】通信端末と機器サーバとの間でより適切な通信経路を選択する通信システムを提供する。【解決手段】所定の接続規格で機器に接続される機器サーバと、機器サーバを介して機器と通信する通信端末を備える通信システムであって、通信端末１５は、第一基地局、又は、機器サーバ１１に接続された第二基地局との無線通信を通じて機器サーバ１１と通信可能であり、機器サーバ１１は、機器と第二基地局とを示す機器接続情報を生成する生成部１１１と、機器接続情報を送信する送信部１１２と、通信端末１５と機器との通信を中継する中継部１１３とを備え、通信端末１５は、第一基地局と第一リンクを確立する確立部１６１と、機器接続情報を受信する受信部１６２と、機器と通信する機器通信部１６３とを備え、確立部１６１は、さらに、第一リンクを切断し、第二基地局との間で第二リンクを確立し、機器通信部１６３は、第二リンクを通じた機器との間の通信を行う。【選択図】図５
2015119354.tif 000002
【特許請求の範囲】
【請求項１】
所定の接続規格で機器に接続される機器サーバと、前記機器サーバを介して前記機器と通信する通信端末を備える通信システムであって、
前記通信端末は、任意の無線基地局である第一基地局、又は、前記機器サーバに接続された無線基地局であってネットワークを介して前記第一基地局に接続された無線基地局である第二基地局との無線通信を通じて前記機器サーバと通信可能であり、
前記機器サーバは、
前記機器を示す情報と、前記第二基地局を示す情報とを対応付けて示す機器接続情報を生成する生成部と、
前記生成部が生成した前記機器接続情報を、前記第一基地局と前記通信端末との間で確立された第一通信リンクを通じて前記通信端末に送信する送信部と、
前記通信端末と前記機器との間の通信を中継する中継部とを備え、
前記通信端末は、
前記第一基地局との間で前記第一通信リンクを確立する確立部と、
前記送信部が送信した前記機器接続情報を、前記第一通信リンクを通じて受信する受信部と、
前記機器との間の通信を行う機器通信部とを備え、
前記確立部は、さらに、
前記通信端末が前記機器と通信する場合に、確立した前記第一通信リンクを切断し、かつ、前記受信部が受信した前記機器接続情報において前記機器に対応付けられた前記第二基地局との間で第二通信リンクを確立し、
前記機器通信部は、
前記中継部により中継されることで、前記第二通信リンクを通じた前記機器との間の通信を行う
通信システム。
【請求項２】
前記通信端末は、さらに、
前記第二基地局から受信する電波の受信電波強度が第一閾値以上であるか否かを判定する電波強度判定部を備え、
前記確立部は、
前記受信電波強度が前記第一閾値以上でないと前記電波強度判定部が判定した場合には、前記第一通信リンクを切断することと、前記第二通信リンクを確立することとを禁止し、
前記中継部は、さらに、
前記第一通信リンクを通じた前記通信端末と前記機器との間の通信を中継する
請求項１に記載の通信システム。
【請求項３】
前記電波強度判定部は、
前記通信端末による無線基地局のローミングに用いられるあらかじめ定められた第二閾値より大きい値を、前記第一閾値として用いて、前記受信電波強度が前記第一閾値以上であるか否かを判定する
請求項２に記載の通信システム。
【請求項４】
前記通信端末は、さらに、
ユーザにより指定される指定機器を示す指定情報を受け付ける受付部を備え、
前記確立部は、
前記受信部が前記機器接続情報を受信した場合に、前記受付部が受け付けた前記指定情報により示される前記指定機器に、前記機器情報において対応付けられた無線基地局との間で前記第二通信リンクを確立する
請求項１〜３のいずれか１項に記載の通信システム。
【請求項５】
前記機器接続情報は、前記機器を識別可能な機器ＩＤと、前記第二基地局が提供する無線通信路のＳＳＩＤ（Ｓｅｒｖｉｃｅ  Ｓｅｔ  Ｉｄｅｎｔｉｆｉｅｒ）及びＢＳＳＩＤ（Ｂａｓｉｃ  Ｓｅｒｖｉｃｅ  Ｓｅｔ  Ｉｄｅｎｔｉｆｉｅｒ）とを対応付けて示す情報を含むものであり、
確立部は、
前記受信部が前記機器接続情報を受信した場合に、受信した前記機器接続情報に含まれる機器ＩＤに対応付けられたＳＳＩＤ及びＢＳＳＩＤに基づいて前記第二基地局との間で前記第二通信リンクを確立する
請求項１〜４のいずれか１項に記載の通信システム。
【請求項６】
前記第一基地局が提供する無線通信路のＥＳＳＩＤと、前記第二基地局が提供する無線通信路のＥＳＳＩＤとは、同一である
請求項５に記載の通信システム。
【請求項７】
前記第一基地局が提供する無線通信路のＥＳＳＩＤと、前記第二基地局が提供する無線通信路のＥＳＳＩＤとは、互いに異なる
請求項５に記載の通信システム。
【請求項８】
前記所定の接続規格は、ＵＳＢ（Ｕｎｉｖｅｒｓａｌ  Ｓｅｒｉａｌ  Ｂｕｓ）規格である
請求項１〜７のいずれか１項に記載の通信システム。
【請求項９】
前記機器サーバは、前記機器サーバの内部に前記第二基地局を備える
請求項１〜８のいずれか１項に記載の通信システム。
【請求項１０】
所定の接続規格で機器に接続される機器サーバと、前記機器サーバを介して前記機器と通信する通信端末を備える通信システムであって、
前記通信端末は、当該通信システムにおける任意の無線基地局との無線通信を通じて前記機器サーバと通信可能であり、
前記機器サーバは、
前記機器を示す情報と、無線基地局と自身との間の経路特性を示す情報とを対応付けて示す機器接続情報を生成する生成部と、
前記生成部が生成した前記機器接続情報を前記通信端末に送信する送信部と、
前記通信端末と前記機器との間の通信を中継する中継部とを備え、
前記通信端末は、
任意の無線基地局との間で無線通信リンクを確立する確立部と、
前記送信部が送信した前記機器接続情報を、前記無線通信リンクを通じて受信する受信部と、
前記機器との間の通信を行う機器通信部とを備え、
前記確立部は、さらに、
前記通信端末が前記機器と通信する場合に、前記受信部が受信した前記機器接続情報に基づき最も適した無線基地局を選択し当該無線基地局との間で新たに無線通信リンクを確立し、
前記機器通信部は、
前記中継部により中継されることで、新たに確立した前記無線通信リンクを通じて前記機器との間の通信を行う
通信システム。
【請求項１１】
所定の接続規格で機器に接続される機器サーバと、前記機器サーバを介して前記機器と通信する通信端末を備える通信システムであって、
前記通信端末は、任意の無線基地局である第一基地局、又は、前記機器サーバに無線通信回線により接続された無線基地局であってネットワークを介して前記第一基地局に接続された無線基地局である第二基地局との無線通信を通じて前記機器サーバと通信可能であり、
前記機器サーバは、
前記機器を示す情報と、当該通信システムにおける無線基地局を示す情報とを対応付けて示す機器接続情報を生成する生成部と、
前記生成部が生成した前記機器接続情報を前記通信端末に送信する送信部と、
前記通信端末と前記機器との間の通信を中継する中継部とを備え、
前記通信端末は、
任意の無線基地局との間で無線通信リンクを確立する確立部と、
前記送信部が送信した前記機器接続情報を、前記無線通信リンクを通じて受信する受信部と、
前記機器との間の通信を行う機器通信部とを備え、
前記確立部は、さらに、
前記通信端末が前記機器と通信する場合に、前記第二基地局を除く機器である前記第一基地局との間で新たに無線通信リンクを確立し、
前記機器通信部は、
前記中継部により中継されることで、新たに確立した前記無線通信リンクを通じて前記機器との間の通信を行う
通信システム。
【請求項１２】
所定の接続規格で機器に接続される機器サーバであって、
前記機器サーバを介して前記機器と通信する通信端末は、任意の無線基地局である第一基地局、又は、前記機器サーバに接続された無線基地局であってネットワークを介して前記第一基地局に接続された無線基地局である第二基地局を通じて前記機器サーバと通信可能であり、
前記機器サーバは、
前記機器を示す情報と、前記第二基地局を示す情報とを対応付けて示す機器接続情報を生成する生成部と、
前記生成部が生成した前記機器接続情報を、前記第一基地局と前記通信端末との間で確立された第一通信リンクを通じて前記通信端末に送信する送信部と、
前記通信端末と前記機器との間の通信を中継する中継部とを備える
機器サーバ。
【請求項１３】
所定の接続規格で機器に接続される機器サーバを介して前記機器と通信する通信端末であって、
前記通信端末は、任意の無線基地局である第一基地局、又は、前記機器サーバに接続された無線基地局であってネットワークを介して前記第一基地局に接続された無線基地局である第二基地局との無線通信を通じて前記機器サーバと通信可能であり、
前記通信端末は、
前記第一基地局との間で前記第一通信リンクを確立する確立部と、
前記機器を示す情報と、前記第二基地局を示す情報とを対応付けて示す機器接続情報を、前記第一通信リンクを通じて受信する受信部と、
前記機器との間の通信を行う機器通信部とを備え、
前記確立部は、さらに、
前記通信端末が前記機器と通信する場合に、確立した前記第一通信リンクを切断し、かつ、前記受信部が受信した前記機器接続情報において前記機器に対応付けられた第二基地局との間で第二通信リンクを確立し、
前記機器通信部は、
前記中継部により中継されることで、前記第二通信リンクを通じた前記機器との間の通信を行う
通信端末。
【請求項１４】
所定の接続規格で機器に接続される機器サーバと、前記機器サーバを介して前記機器と通信する通信端末を備える通信システムにおける通信方法であって、
前記通信端末は、任意の無線基地局である第一基地局、又は、前記機器サーバに接続された無線基地局であってネットワークを介して前記第一基地局に接続された無線基地局である第二基地局との無線通信を通じて前記機器サーバと通信可能であり、
前記通信方法は、
前記機器を示す情報と、前記第二基地局を示す情報とを対応付けて示す機器接続情報を生成する生成ステップと、
前記生成ステップで生成した前記機器接続情報を、前記第一基地局と前記通信端末との間で確立された第一通信リンクを通じて前記通信端末に送信する送信ステップと、
前記通信端末と前記機器との間の通信を中継する中継ステップと、
前記第一基地局との間で前記第一通信リンクを確立する確立ステップと、
前記送信ステップで送信した前記機器接続情報を、前記第一通信リンクを通じて受信する受信ステップと、
前記機器との間の通信を行う機器通信ステップとを含み、
前記確立ステップでは、さらに、
前記通信端末が前記機器と通信する場合に、確立した前記第一通信リンクを切断し、かつ、前記受信ステップで受信した前記機器接続情報において前記機器に対応付けられた前記第二基地局との間で前記第二通信リンクを確立し、
前記機器通信ステップでは、
前記中継部により中継されることで、前記第二通信リンクを通じた前記機器との間の通信を行う
通信方法。
【発明の詳細な説明】
【技術分野】
【０００１】
本発明は、通信システム、機器サーバ、通信端末、及び、通信方法に関する。特に、所定の接続規格で機器に接続される機器サーバと、機器サーバを介して機器と通信する通信端末を備える通信システムにおける、通信システム、機器サーバ、通信端末、及び、通信方法に関する。
【背景技術】
【０００２】
所定の接続規格で通信端末に接続して利用される周辺機器（以降、単に「機器」ともいう）が知られている。周辺機器には、例えば、プリンタ、表示装置、又は、記憶装置などがある。周辺機器を通信端末に接続する接続規格としては、ＵＳＢ（Ｕｎｉｖｅｒｓａｌ  Ｓｅｒｉａｌ  Ｂｕｓ）規格、又は、ＲＳ−２３２Ｃ規格などがある。上記機器は、ケーブルを用いて通信端末に直接に接続されるだけでなく、通信回線を経由して接続されることも可能である（特許文献１）。この場合、上記通信回線を終端し、所定の接続規格で上記機器に接続される装置のことを、機器サーバという。つまり、機器サーバは、通信端末と機器との通信を、通信データの形式及び接続規格を適切に変換して転送するともいえる。
【先行技術文献】
【特許文献】
【０００３】
【特許文献１】特開２０１１−２４２８２２号公報
【発明の概要】
【発明が解決しようとする課題】
【０００４】
しかしながら、上記通信回線の候補として複数の無線通信路がある場合、通信端末及び無線基地局の位置、又は、無線通信の通信品質によっては、適切な通信経路が選択されない場合がある。
【０００５】
本発明は、上記問題を解決するためになされたものであり、通信端末と機器サーバとの間でより適切な通信経路を選択する通信システム等を提供することを目的とする。
【課題を解決するための手段】
【０００６】
上記課題を解決するために、本発明の一態様に係る通信システムは、所定の接続規格で機器に接続される機器サーバと、前記機器サーバを介して前記機器と通信する通信端末を備える通信システムであって、前記通信端末は、任意の無線基地局である第一基地局、又は、前記機器サーバに接続された無線基地局であってネットワークを介して前記第一基地局に接続された無線基地局である第二基地局との無線通信を通じて前記機器サーバと通信可能であり、前記機器サーバは、前記機器を示す情報と、前記第二基地局を示す情報とを対応付けて示す機器接続情報を生成する生成部と、前記生成部が生成した前記機器接続情報を、前記第一基地局と前記通信端末との間で確立された第一通信リンクを通じて前記通信端末に送信する送信部と、前記通信端末と前記機器との間の通信を中継する中継部とを備え、前記通信端末は、前記第一基地局との間で前記第一通信リンクを確立する確立部と、前記送信部が送信した前記機器接続情報を、前記第一通信リンクを通じて受信する受信部と、前記機器との間の通信を行う機器通信部とを備え、前記確立部は、さらに、前記通信端末が前記機器と通信する場合に、確立した前記第一通信リンクを切断し、かつ、前記受信部が受信した前記機器接続情報において前記機器に対応付けられた前記第二基地局との間で第二通信リンクを確立し、前記機器通信部は、前記中継部により中継されることで、前記第二通信リンクを通じた前記機器との間の通信を行う。
【０００７】
これによれば、通信端末は、複数の無線基地局のうち、接続しようとする機器に所定の接続規格で接続された機器サーバに対応付けられた無線基地局との間で通信リンクを確立し、確立した通信リンクを介して機器と通信することができる。
【０００８】
従来技術によれば、機器に接続しようとする前に確立していた通信リンクの通信品質が良好である場合、上記のように新たな通信リンクを確立することは行われない。そのため、通信端末との機器との通信の通信経路が必ずしも最適なものとならない。
【０００９】
本発明によれば、機器に接続しようとする前に確立していた通信リンクの通信品質が良好であったとしても、通信端末が接続しようとする機器との通信に好適な無線基地局との間で新たに通信リンクを確立する。よって、本発明の一態様に係る通信システムは、通信端末と機器サーバとの間でより適切な通信経路を選択することができる。
【００１０】
また、前記通信端末は、さらに、前記第二基地局から受信する電波の受信電波強度が第一閾値以上であるか否かを判定する電波強度判定部を備え、前記確立部は、前記受信電波強度が前記第一閾値以上でないと前記電波強度判定部が判定した場合には、前記第一通信リンクを切断することと、前記第二通信リンクを確立することとを禁止し、前記中継部は、さらに、前記第一通信リンクを通じた前記通信端末と前記機器との間の通信を中継するとしてもよい。
【００１１】
これによれば、通信端末は、通信端末が接続しようとする機器に対応する無線基地局との間で良好な通信が可能である場合に、当該無線基地局との間で新たに通信リンクを確立する。よって、通信システムは、通信端末と機器サーバとの間でより適切な通信経路を選択し、選択した通信経路で良好に通信することができる。
【００１２】
また、前記電波強度判定部は、前記通信端末による無線基地局のローミングに用いられるあらかじめ定められた第二閾値より大きい値を、前記第一閾値として用いて、前記受信電波強度が前記第一閾値以上であるか否かを判定するとしてもよい。
【００１３】
これによれば、通信端末は、通信端末が接続しようとする機器に対応する無線基地局との通信品質が良好か否かの判定基準として、ローミングに用いられる受信電波強度の閾値（第二閾値）より大きい閾値を用いる。つまり、新たに通信リンクを確立する無線基地局から受信する電波の受信電波強度が、ローミングによるＡＰ切り替えの場合よりも厳しい基準を満たす場合に、本発明に係る通信経路選択によるＡＰ切り替えを行うようにする。よって、通信システムは、通信端末と機器サーバとの間でより適切な通信経路を選択し、選択した通信経路で良好に通信することができる。
【００１４】
また、前記通信端末は、さらに、ユーザにより指定される指定機器を示す指定情報を受け付ける受付部を備え、前記確立部は、前記受信部が前記機器接続情報を受信した場合に、前記受付部が受け付けた前記指定情報により示される前記指定機器に、前記機器情報において対応付けられた無線基地局との間で前記第二通信リンクを確立するとしてもよい。
【００１５】
これによれば、通信端末は、ユーザにより指定された機器（指定機器）に対応する無線基地局との間で通信リンクを確立する。通信端末は、確立した通信リンクを介して通信することで、指定機器との間で適切な通信経路となる通信を行うことができる。
【００１６】
また、前記機器接続情報は、前記機器を識別可能な機器ＩＤと、前記第二基地局が提供する無線通信路のＳＳＩＤ（Ｓｅｒｖｉｃｅ  Ｓｅｔ  Ｉｄｅｎｔｉｆｉｅｒ）及びＢＳＳＩＤ（Ｂａｓｉｃ  Ｓｅｒｖｉｃｅ  Ｓｅｔ  Ｉｄｅｎｔｉｆｉｅｒ）とを対応付けて示す情報を含むものであり、確立部は、前記受信部が前記機器接続情報を受信した場合に、受信した前記機器接続情報に含まれる機器ＩＤに対応付けられたＳＳＩＤ及びＢＳＳＩＤに基づいて前記第二基地局との間で前記第二通信リンクを確立するとしてもよい。
【００１７】
これによれば、通信端末は、機器を示す機器ＩＤが取得された場合に、当該機器に対応する無線基地局の無線通信路を特定し、特定した無線通信路において新たな通信リンクを確立することができる。これにより、当該無線基地局との間で新たな通信リンクを確立することができる。
【００１８】
また、前記第一基地局が提供する無線通信路のＥＳＳＩＤと、前記第二基地局が提供する無線通信路のＥＳＳＩＤとは、同一であるとしてもよい。
【００１９】
これによれば、通信端末は、ＳＳＩＤが同一の複数の無線基地局を含んで構成される通信システムにおいて、複数の無線基地局のうち、機器と通信するのに適切な無線基地局を選択し、選択した無線基地局を経由した通信経路で機器と通信することができる。
【００２０】
また、前記第一基地局が提供する無線通信路のＥＳＳＩＤと、前記第二基地局が提供する無線通信路のＥＳＳＩＤとは、互いに異なるとしてもよい。
【００２１】
これによれば、通信端末は、ＳＳＩＤが互いに異なる複数の無線基地局を含んで構成される通信システムにおいて、複数の無線基地局のうち、機器と通信するのに適切な無線基地局を選択し、選択した無線基地局を経由した通信経路で機器と通信することができる。
【００２２】
また、前記所定の接続規格は、ＵＳＢ（Ｕｎｉｖｅｒｓａｌ  Ｓｅｒｉａｌ  Ｂｕｓ）規格であるとしてもよい。
【００２３】
これによれば、通信端末は、通信端末とＵＳＢ機器との間で行うＵＳＢ通信を中継する機器サーバを用いてＵＳＢ機器との通信を行う際に、当該機器サーバに対応する無線基地局との間で通信リンクを確立することができる。
【００２４】
また、前記機器サーバは、前記機器サーバの内部に前記第二基地局を備えるとしてもよい。
【００２５】
これによれば、機器サーバ機能を備えた無線基地局、又は、無線基地局機能を備えた機器サーバにおいても、上記と同様の効果を奏する。
【００２６】
また、所定の接続規格で機器に接続される機器サーバと、前記機器サーバを介して前記機器と通信する通信端末を備える通信システムであって、前記通信端末は、当該通信システムにおける任意の無線基地局との無線通信を通じて前記機器サーバと通信可能であり、前記機器サーバは、前記機器を示す情報と、無線基地局と自身との間の経路特性を示す情報とを対応付けて示す機器接続情報を生成する生成部と、前記生成部が生成した前記機器接続情報を前記通信端末に送信する送信部と、前記通信端末と前記機器との間の通信を中継する中継部とを備え、前記通信端末は、任意の無線基地局との間で無線通信リンクを確立する確立部と、前記送信部が送信した前記機器接続情報を、前記無線通信リンクを通じて受信する受信部と、前記機器との間の通信を行う機器通信部とを備え、前記確立部は、さらに、前記通信端末が前記機器と通信する場合に、前記受信部が受信した前記機器接続情報に基づき最も適した無線基地局を選択し当該無線基地局との間で新たに無線通信リンクを確立し、前記機器通信部は、前記中継部により中継されることで、新たに確立した前記無線通信リンクを通じて前記機器との間の通信を行うとしてもよい。
【００２７】
これによれば、無線基地局同士を接続するＬＡＮ上にルータなどのネットワーク機器が存在する場合に、経由する最適なネットワーク機器を通じた通信経路を用いて通信することができる。
【００２８】
また、所定の接続規格で機器に接続される機器サーバと、前記機器サーバを介して前記機器と通信する通信端末を備える通信システムであって、前記通信端末は、任意の無線基地局である第一基地局、又は、前記機器サーバに無線通信回線により接続された無線基地局であってネットワークを介して前記第一基地局に接続された無線基地局である第二基地局との無線通信を通じて前記機器サーバと通信可能であり、前記機器サーバは、前記機器を示す情報と、当該通信システムにおける無線基地局を示す情報とを対応付けて示す機器接続情報を生成する生成部と、前記生成部が生成した前記機器接続情報を前記通信端末に送信する送信部と、前記通信端末と前記機器との間の通信を中継する中継部とを備え、前記通信端末は、任意の無線基地局との間で無線通信リンクを確立する確立部と、前記送信部が送信した前記機器接続情報を、前記無線通信リンクを通じて受信する受信部と、前記機器との間の通信を行う機器通信部とを備え、前記確立部は、さらに、前記通信端末が前記機器と通信する場合に、前記第二基地局を除く機器である前記第一基地局との間で新たに無線通信リンクを確立し、前記機器通信部は、前記中継部により中継されることで、新たに確立した前記無線通信リンクを通じて前記機器との間の通信を行うとしてもよい。
【００２９】
これによれば、機器サーバが無線基地局に無線通信により接続されている場合に、当該無線通信が行われていない通信路のうちから適切なものを選択し、選択した通信路において、無線通信を行うことができる。
【００３０】
また、本発明の一態様に係る機器サーバは、所定の接続規格で機器に接続される機器サーバであって、前記機器サーバを介して前記機器と通信する通信端末は、任意の無線基地局である第一基地局、又は、前記機器サーバに接続された無線基地局であってネットワークを介して前記第一基地局に接続された無線基地局である第二基地局を通じて前記機器サーバと通信可能であり、前記機器サーバは、前記機器を示す情報と、前記第二基地局を示す情報とを対応付けて示す機器接続情報を生成する生成部と、前記生成部が生成した前記機器接続情報を、前記第一基地局と前記通信端末との間で確立された第一通信リンクを通じて前記通信端末に送信する送信部と、前記通信端末と前記機器との間の通信を中継する中継部とを備える。
【００３１】
これにより、上記の通信システムと同様の効果を奏する。
【００３２】
また、本発明の一態様に係る通信端末は、所定の接続規格で機器に接続される機器サーバを介して前記機器と通信する通信端末であって、前記通信端末は、任意の無線基地局である第一基地局、又は、前記機器サーバに接続された無線基地局であってネットワークを介して前記第一基地局に接続された無線基地局である第二基地局との無線通信を通じて前記機器サーバと通信可能であり、前記通信端末は、前記第一基地局との間で前記第一通信リンクを確立する確立部と、前記機器を示す情報と、前記第二基地局を示す情報とを対応付けて示す機器接続情報を、前記第一通信リンクを通じて受信する受信部と、前記機器との間の通信を行う機器通信部とを備え、前記確立部は、さらに、前記通信端末が前記機器と通信する場合に、確立した前記第一通信リンクを切断し、かつ、前記受信部が受信した前記機器接続情報において前記機器に対応付けられた第二基地局との間で第二通信リンクを確立し、前記機器通信部は、前記中継部により中継されることで、前記第二通信リンクを通じた前記機器との間の通信を行う。
【００３３】
これにより、上記の通信システムと同様の効果を奏する。
【００３４】
また、本発明の一態様に係る通信方法は、所定の接続規格で機器に接続される機器サーバと、前記機器サーバを介して前記機器と通信する通信端末を備える通信システムにおける通信方法であって、前記通信端末は、任意の無線基地局である第一基地局、又は、前記機器サーバに接続された無線基地局であってネットワークを介して前記第一基地局に接続された無線基地局である第二基地局との無線通信を通じて前記機器サーバと通信可能であり、前記通信方法は、前記機器を示す情報と、前記第二基地局を示す情報とを対応付けて示す機器接続情報を生成する生成ステップと、前記生成ステップで生成した前記機器接続情報を、前記第一基地局と前記通信端末との間で確立された第一通信リンクを通じて前記通信端末に送信する送信ステップと、前記通信端末と前記機器との間の通信を中継する中継ステップと、前記第一基地局との間で前記第一通信リンクを確立する確立ステップと、前記送信ステップで送信した前記機器接続情報を、前記第一通信リンクを通じて受信する受信ステップと、前記機器との間の通信を行う機器通信ステップとを含み、前記確立ステップでは、さらに、前記通信端末が前記機器と通信する場合に、確立した前記第一通信リンクを切断し、かつ、前記受信ステップで受信した前記機器接続情報において前記機器に対応付けられた前記第二基地局との間で前記第二通信リンクを確立し、前記機器通信ステップでは、前記中継部により中継されることで、前記第二通信リンクを通じた前記機器との間の通信を行う。
【００３５】
これにより、上記の通信システムと同様の効果を奏する。
【００３６】
なお、本発明は、装置として実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００３７】
本発明にかかる通信システムは、通信端末と機器サーバとの間でより適切な通信経路を選択することができる。
【図面の簡単な説明】
【００３８】
【図１】図１は、実施の形態１に係る通信システムのネットワーク構成図である。
【図２】図２は、実施の形態１に係る機器サーバのハードウェア構成図である。
【図３】図３は、実施の形態１に係る通信端末のハードウェア構成図である。
【図４】図４は、実施の形態１に係る無線基地局のハードウェア構成図である。
【図５】図５は、実施の形態１に係る通信システムの機能ブロック図である。
【図６】図６は、実施の形態１に係る機器接続情報の第一例を示す説明図である。
【図７】図７は、実施の形態１に係る通信端末の処理を示すフローチャートである。
【図８】図８は、実施の形態１に係る機器サーバの処理を示すフローチャートである。
【図９】図９は、実施の形態１に係る通信システムのシーケンス図である。
【図１０Ａ】図１０Ａは、従来技術における機器サーバと通信端末との通信経路の説明図である。
【図１０Ｂ】図１０Ｂは、実施の形態１に係る機器サーバと通信端末との通信経路の説明図である。
【図１１】図１１は、実施の形態１の変形例１に係る通信システムのネットワーク構成図である。
【図１２Ａ】図１２Ａは、実施の形態１の変形例１に係る複数の無線基地局から取得された機器接続情報により作成される機器接続情報の一例を示す説明図である。
【図１２Ｂ】図１２Ｂは、実施の形態１の変形例２に係る通信システムのネットワーク構成図である。
【図１２Ｃ】図１２Ｃは、実施の形態１の変形例２に係る複数の無線基地局から取得された機器接続情報により作成される機器接続情報の一例を示す説明図である。
【図１３】図１３は、実施の形態２に係る通信システムのネットワーク構成図である。
【図１４】図１４は、実施の形態２に係る複数の無線基地局から取得された機器接続情報により作成される機器接続情報の一例を示す説明図である。
【図１５】図１５は、実施の形態３に係る通信システムのネットワーク構成図である。
【発明を実施するための形態】
【００３９】
以下、実施の形態について、図面を参照しながら具体的に説明する。
【００４０】
以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００４１】
なお、同一の構成要素には同一の符号を付し、説明を省略する場合がある。
【００４２】
（実施の形態１）
本実施の形態において、通信端末と機器サーバとの間でより適切な通信経路を選択する通信システムなどについて説明する。
【００４３】
図１は、本実施の形態に係る通信システム５０のネットワーク構成図である。
【００４４】
図１に示されるように、通信システム５０は、機器サーバ１１と、通信端末１５と、無線基地局３１及び３２と、機器３５と、ＬＡＮ４０及び４１と、接続ケーブル４２とを備える。
【００４５】
機器サーバ１１は、接続ケーブル４２により機器３５と接続される。また、機器サーバ１１は、ＬＡＮ４１（Ｌｏｃａｌ  Ａｒｅａ  Ｎｅｔｗｏｒｋ）により無線基地局３２に接続される。機器サーバ１１は、ＬＡＮ４１を通じて通信端末１５と機器３５との通信を中継する。つまり、機器サーバ１１は、通信端末１５から上記通信に係るＬＡＮ上の通信パケットを受信し、受信した通信パケット内に含まれる機器３５向けの通信データを取り出し、取り出した通信データを機器３５に所定の接続規格に従って送信する。また、機器サーバ１１は、機器３５から所定の接続規格に従って通信データを受信し、受信した通信データをＬＡＮ上の通信パケットに含めて、ＬＡＮ４１を通じて通信端末１５に送信する。このようにして、機器サーバ１１は、通信端末１５と機器３５との所定の接続規格に従った通信データの送受信を中継する。なお、「中継する」とは、上記のように、ＬＡＮ上のデータ通信と、所定の接続規格に従ったデータ通信との、一方から他方に変換して通信データを転送することをいう。
【００４６】
なお、所定の接続規格は、ＬＡＮとは異なる接続規格のことであり、例えば、ＵＳＢ規格、又はＲＳ２３２Ｃ規格などがありうる。以下では、所定の接続規格がＵＳＢ規格（以降、単に「ＵＳＢ」ともいう）である場合について説明するが、上記はあくまで例示であり、本発明はＵＳＢ規格だけに限定されない。なお、ＵＳＢ規格に従った通信のことをＵＳＢ通信ともいう。
【００４７】
通信端末１５は、無線通信インタフェースを有する無線通信端末である。通信端末１５は、無線基地局３１との間で通信リンク２５を確立し、又は、無線基地局３２との間で通信リンク２６を確立し、無線通信を行う。通信端末１５は、通信リンク２５及び無線基地局３１を介して、又は、通信リンク２６及び無線基地局３２を介して、ＬＡＮ４０に接続された他の通信装置と通信することができる。
【００４８】
また、通信端末１５は、上記のように通信リンク、無線基地局、及びＬＡＮ４１を通じて機器サーバ１１と通信することができる。そして、機器サーバ１１がＵＳＢ通信を中継することで、通信端末１５は、機器３５との間でＵＳＢ通信を行うことができる。
【００４９】
無線基地局３１は、無線通信インタフェースを有する無線基地局（アクセスポイント）である。無線基地局３１は、無線通信可能エリアに存在する通信端末１５との間で通信リンク２５を確立し、無線通信を行う。通信リンク２５は、無線通信の論理的な通信路２１（以降、単に「通信路」とも記載する）において確立される。通信路は、無線通信に用いるネットワークの識別子であるＳＳＩＤ（Ｓｅｒｖｉｃｅ  Ｓｅｔ  Ｉｎｄｅｎｔｉｆｉｅｒ）と、ＢＳＳＩＤ（Ｂａｓｉｃ  Ｓｅｒｖｉｃｅ  Ｓｅｔ  Ｉｎｄｅｎｔｉｆｉｅｒ）とを含む属性情報により特定される。無線基地局３１の通信路２１の属性情報２１Ａは、ＳＳＩＤが「ＳＳ１」であり、ＢＳＳＩＤが「ＢＳ１」である。なお、ＳＳＩＤは、英字、数字又は記号からなる文字列（例えば、「ａｂｃ０１」）として表記されることもある。また、ＢＳＳＩＤは、４８ビットで表される数値（１２桁の１６進数で表される数値）であり、「００：００：００：１１：１１：ａａ」のように表記されることもある。なお、無線通信は、例えば、ＩＥＥＥ８０２．１１ａ、ｂ、ｇ、ｎ規格などに適合する無線ＬＡＮにより実現される。なお、無線基地局３１は、第一基地局に相当する。
【００５０】
また、無線基地局３１は、ＬＡＮ４０と接続されており、ＬＡＮ４０に接続された他の通信装置と、通信端末１５との間で相互にやりとりされる通信フレーム（通信パケット）を転送する。具体的には、無線基地局３１は、通信端末１５から、ＬＡＮ４０に接続された端末を宛先とする通信フレームを受信したら、当該通信フレームをＬＡＮ４０へ転送する。また、無線基地局３１は、ＬＡＮ４０に接続された端末から、通信端末１５を宛先とする通信フレームを受信したら、当該通信フレームを通信端末１５に転送する。
【００５１】
無線基地局３２は、無線基地局３１と同様に、無線通信インタフェースを有する無線基地局装置である。無線基地局３２は、通信端末１５との間で通信リンク２６を確立し、無線通信を行う。無線基地局３２の通信路２２の属性情報２２Ａは、ＳＳＩＤが「ＳＳ１」であり、ＢＳＳＩＤが「ＢＳ２」である。つまり、無線基地局３１の通信路２１と、無線基地局３２の通信路２２とは、ＳＳＩＤが同一であり、ＢＳＳＩＤが互いに異なる。なお、無線基地局３２は、第二基地局に相当する。
【００５２】
機器３５は、接続ケーブル４２により機器サーバ１１と接続される、所定の機能を有する機器である。機器３５は、例えば、プリンタ、表示装置、又は、記憶装置などである。機器サーバ１１がＵＳＢ通信を中継することで、機器３５は、通信端末１５との間でＵＳＢ通信を行うことができる。
【００５３】
ＬＡＮ４０は、無線基地局３１と無線基地局３２との通信に用いられる通信ネットワーク（ローカルエリアネットワーク）である。なお、ＬＡＮ４０は、例えば、ＩＥＥＥ８０２．３規格などに適合する有線ＬＡＮにより実現される。
【００５４】
ＬＡＮ４１は、無線基地局３２と機器サーバ１１との通信に用いられる通信ネットワークである。なお、ＬＡＮ４０は、例えば、ＩＥＥＥ８０２．３規格などに適合する有線ＬＡＮにより実現される。
【００５５】
接続ケーブル４２は、機器サーバ１１と機器３５との所定の接続規格による通信に用いられるケーブルである。ケーブルの種別は、一般に、所定の接続規格によりあらかじめ定められている。なお、所定の接続規格がＵＳＢ規格であれば、接続ケーブル４２はＵＳＢケーブルである。
【００５６】
なお、図１に示された装置のうち、機器サーバ１１と通信端末１５とを除くものは、従来技術におけるものと同様の機能を備えていればよい。
【００５７】
なお、図１では２つの無線基地局を備える通信システム５０が示されており、機器サーバ１１に接続されていない無線基地局３１から、機器サーバ１１に接続された無線基地局３２へ、通信端末１５が通信リンクを切り替えること（「ＡＰ切り替え」ともいう）について以降で説明する。ここで、通信システム５０が３つ以上の無線基地局を備えていてもかまわない。また、図１では、２つの無線基地局のうちの１つに機器サーバ１１が接続されているが、２つの無線基地局のそれぞれに機器サーバが接続されてもかまわない。さらに、３以上の無線基地局がある場合、そのうちの一部又は全部に機器サーバ１１が接続されてもかまわない。上記のいずれの場合であっても、ＡＰ切り替え前に通信端末１５が通信リンクを確立していた無線基地局を無線基地局３１とみなし、ＡＰ切り替え後に通信端末１５が通信リンクを確立する無線基地局を無線基地局３２とみなせばよい。
【００５８】
図２は、本実施の形態に係る機器サーバ１１のハードウェア構成図である。
【００５９】
図２に示されるように、機器サーバ１１は、ＣＰＵ１０１（Ｃｅｎｔｒａｌ  Ｐｒｏｃｅｓｓｉｎｇ  Ｕｎｉｔ）と、ＲＯＭ１０２（Ｒｅａｄ  Ｏｎｌｙ  Ｍｅｍｏｒｙ）と、ＲＡＭ１０３（Ｒａｎｄｏｍ  Ａｃｃｅｓｓ  Ｍｅｍｏｒｙ）と、記憶装置１０４と、ＮＩＣ１０５（Ｎｅｔｗｏｒｋ  Ｉｎｔｅｒｆａｃｅ  Ｃａｒｄ）と、ＵＳＢ−ＩＦ１０６（Ｕｎｉｖｅｒｓａｌ  Ｓｅｒｉａｌ  Ｂｕｓ−Ｉｎｔｅｒｆａｃｅ）とを備える。
【００６０】
ＣＰＵ１０１は、ＲＯＭ１０２に格納された制御プログラムを実行するプロセッサである。
【００６１】
ＲＯＭ１０２は、制御プログラム等を保持する読み出し専用記憶領域である。
【００６２】
ＲＡＭ１０３は、ＣＰＵ１０１が制御プログラムを実行するときに使用するワークエリアとして用いられる揮発性の記憶領域である。
【００６３】
記憶装置１０４は、制御プログラム、又は、画像データなどを保持する不揮発性の記憶領域である。
【００６４】
ＮＩＣ１０５は、ＬＡＮ４０等へ通信データを送信する、又は、ＬＡＮ４０等から通信データを受信する通信インタフェースである。なお、ＮＩＣ１０５は、ＩＥＥＥ８０２．３規格等に適合する有線ＬＡＮインタフェースであってもよいし、ＩＥＥＥ８０２．１１ａ、ｂ、ｇ、ｎ規格等に適合する無線ＬＡＮインタフェースであってもよい。
【００６５】
ＵＳＢ−ＩＦ１０６は、機器３５へＵＳＢ規格に従ってデータを送信する、又は、機器３５からＵＳＢ規格に従ってデータを受信する通信インタフェースである。なお、ＵＳＢ−ＩＦ１０６は、所定の接続規格に対応した通信を行う通信インタフェースの一例である。
【００６６】
図３は、本実施の形態に係る通信端末のハードウェア構成図である。
【００６７】
図３に示されるように、通信端末１５は、ＣＰＵ１５１と、ＲＯＭ１５２と、ＲＡＭ１５３と、記憶装置１５４と、ＷＮＩＣ１５５とを備える。通信端末１５のハードウェア構成要素のうち、機器サーバ１１におけるものと同様のものは同一名称として、詳細な説明を省略する。
【００６８】
ＷＮＩＣ１５５は、通信端末１５との間で無線通信を行う無線通信インタフェースである。なお、ＷＮＩＣ１５５は、例えば、ＩＥＥＥ８０２．１１ａ、ｂ、ｇ、ｎ規格等に適合する無線ＬＡＮの通信インタフェースである。
【００６９】
図４は、本実施の形態に係る無線基地局のハードウェア構成図である。
【００７０】
図４に示されるように、無線基地局３１は、ＣＰＵ３０１と、ＲＯＭ３０２と、ＲＡＭ３０３と、記憶装置３０４と、ＷＮＩＣ３０５と、ＮＩＣ３０６とを備える。無線基地局３１のハードウェア構成要素のうち、機器サーバ１１又は通信端末１５におけるものと同様のものは同一名称として、詳細な説明を省略する。なお、無線基地局３２は、無線基地局３１と同様のハードウェア構成を有するので、無線基地局３２についての詳細な説明を省略する。
【００７１】
なお、無線基地局３２は、機器サーバ１１の内部に備えられてもよい。その場合、無線基地局３２と機器サーバ１１とで共通するハードウェア構成要素は、両者により共有される。なお、上記と同様に、無線基地局３１が、無線基地局３１の内部に機器サーバ１１を備えてもよい。
【００７２】
図５は、本実施の形態に係る通信システムの機能ブロック図である。
【００７３】
図５に示されるように、通信システム５０は、機器サーバ１１と通信端末１５とを備える。
【００７４】
まず、機器サーバ１１について説明する。機器サーバ１１は、生成部１１１と、送信部１１２と、中継部１１３とを備える。
【００７５】
生成部１１１は、機器３５を示す情報と、無線基地局３２を示す情報とを対応付けて示す機器接続情報を生成する。具体的には、生成部１１１は、機器サーバ１１が接続ケーブル４２で接続された機器３５の機器ＩＤと、機器サーバ１１がＬＡＮ４１で接続された無線基地局３２の通信路２２の属性情報２２Ａとを対応付けて示す機器接続情報を生成する。つまり、機器接続情報では、機器ごとに、通信端末１５が当該機器との間でＵＳＢ通信を行う際に経由するのに適切な無線基地局が対応づけられている。なお、上記の機器ＩＤ又は属性情報２２Ａは、それぞれ、機器３５又は無線基地局３２から取得したものであってもよいし、予めユーザ等により設定されたものであってもよい。なお、「適切な無線基地局」は、例えば、当該無線基地局を経由する通信経路が最短経路となる無線基地局とすればよい。その他、通信リンクの種別を考慮して通信に係るコストが最低になる無線基地局としてもよい。生成部１１１は、ＣＰＵ１０１、ＲＯＭ１０２、ＲＡＭ１０３、及び記憶装置１０４などにより実現される。機器接続情報については、後で詳しく説明する。
【００７６】
送信部１１２は、生成部１１１が生成した機器接続情報を通信端末１５に送信する。送信した機器接続情報は、無線基地局３１と通信端末１５との間で確立された通信リンク２５を通じて通信端末１５に受信される。具体的には、通信端末１５が無線基地局３１との間で通信リンク２５を確立している状態において、送信部１１２は、生成部１１１が生成した機器接続情報を送信する。送信された機器接続情報は、ＬＡＮ４１、無線基地局３２、ＬＡＮ４０、及び無線基地局３１を、この順で経由して、通信端末１５に届けられる。送信部１１２は、ＣＰＵ１０１、ＲＯＭ１０２、ＲＡＭ１０３、記憶装置１０４、及びＮＩＣ１０５などにより実現される。
【００７７】
中継部１１３は、無線基地局３２と通信端末１５との間で確立された通信リンク２６を通じて行われる、通信端末１５と機器３５との間の通信を中継する。具体的には、通信端末１５が無線基地局３２との間で通信リンク２６を確立している状態において、中継部１１３は、通信端末１５と機器３５とのＵＳＢ通信を中継する。つまり、ＬＡＮ４１を通じて通信端末１５から受信した通信パケット内に含まれる機器３５向けの通信データを取り出し、取り出した通信データを機器３５にＵＳＢ規格に従って送信する。また、機器サーバ１１は、機器３５からＵＳＢ規格に従って通信データを受信し、受信した通信データを含めた通信パケットをＬＡＮ４１を通じて通信端末１５に送信する。なお、中継部１１３は、ＣＰＵ１０１、ＲＯＭ１０２、ＲＡＭ１０３、記憶装置１０４、及びＵＳＢ−ＩＦ１０６などにより実現される。
【００７８】
次に、通信端末１５について説明する。通信端末１５は、確立部１６１と、受信部１６２と、機器通信部１６３と、電波強度判定部１６４と、受付部１６５とを備える。
【００７９】
確立部１６１は、まず、属性情報２１Ａで特定される通信路２１上において、無線基地局３１との間で通信リンク２５を確立する。具体的には、確立部１６１は、無線基地局３１との間で、認証のための通信（Ａｕｔｈｅｎｔｉｃａｔｉｏｎ）と、接続確立のための通信（Ａｓｓｏｃｉａｔｉｏｎ）とを行うことで、無線基地局３１との通信リンク２５を確立する。
【００８０】
また、確立部１６１は、通信端末１５が機器３５に接続する場合に、確立した通信リンク２５を切断し、かつ、受信部１６２が受信した機器接続情報において機器３５に対応付けられた無線基地局との間で通信リンク２６を確立する。具体的には、確立部１６１は、受信部１６２が機器接続情報を受信した場合に、接続解除のための通信（Ｄｉａｓｓｏｃｉａｔｉｏｎ）と、無線基地局３１との間で認証解除のための通信（Ｄｅａｕｔｈｅｎｔｉｃａｔｉｏｎ）とを行うことで、通信リンク２５を切断する。その後、受信した機器接続情報に記載された機器３５との間での接続を行うために、機器接続情報において機器３５に対応付けられた無線基地局である無線基地局３２との間で、属性情報２２Ａで特定される通信路２２上において通信リンク２６を確立する。無線基地局３２との間で通信リンク２６を確立する手順は、無線基地局３１との間で通信リンク２５を確立する手順と同様である。
【００８１】
受信部１６２は、機器サーバ１１の送信部１１２が送信した機器接続情報を、通信リンク２５を通じて受信する。上記機器接続情報には、機器ごとに、通信端末１５が当該機器とＵＳＢ通信を行う際に経由するのに適した無線基地局が対応づけられている。
【００８２】
機器通信部１６３は、無線基地局３２及び機器サーバ１１を介して機器３５とＵＳＢ通信を行う。また、機器通信部１６３は、中継部１１３により中継されることで、通信リンク２６を通じた機器３５との間の通信を行う。
【００８３】
電波強度判定部１６４は、無線基地局３２から受信する電波の受信電波強度が第一閾値以上であるか否かを判定する。具体的には、電波強度判定部１６４は、通信端末１５のＷＮＩＣ１５５が無線基地局３２から受信する電波の受信電波強度を取得する。そして、取得した受信電波強度が、第一閾値以上であるか否かを判定し、第一閾値以上でないと判定した場合には、確立部１６１による無線基地局に切り替え、つまり、通信リンク２５を切断し、かつ、通信リンク２６を確立すること、を禁止してもよい。
【００８４】
なお、通信端末は、従来、複数の無線基地局のうち、通信リンクを確立する相手の無線基地局を切り替えるための閾値である第二閾値を有している。第二閾値は、例えば、いわゆるローミングの際に用いられる閾値である。つまり、通信端末が無線基地局Ａの近傍から、その隣接の無線基地局の近傍へ移動する場合に、無線基地局Ａからの受信電波強度が当該第二閾値を下回った場合に、又は、無線基地局Ｂからの受信電波強度が当該第二閾値を上回った場合に、通信端末が無線基地局を切り替えるというように用いられる。
【００８５】
電波強度判定部１６４は、第二閾値より大きい値を、第一閾値として定めてもよい（つまり、第一閾値＞第二閾値）。つまり、ローミングの場合よりも受信電波強度の基準を厳しく設定してもよい。このようにすることで、切り替え後の無線基地局において十分に良好な通信が可能であることを判断した上で、切り替えを行うことができる。
【００８６】
受付部１６５は、ユーザにより指定される指定機器を示す指定情報を受け付ける。受付部１６５が指定情報を受け付けた場合には、受信部１６２が機器接続情報を受信した場合に、受け付けた指定情報により示される指定機器に、機器情報において対応付けられた無線基地局との間で通信リンクを確立するようにしてもよい。
【００８７】
図６は、本実施の形態に係る機器接続情報の第一例を示す説明図である。
【００８８】
図６に示される機器接続情報Ｔ６０１は、機器ＩＤと、ＳＳＩＤと、ＢＳＳＩＤとを含む。
【００８９】
機器ＩＤは、機器３５を一意に特定することができる識別子である。
【００９０】
ＳＳＩＤは、機器ＩＤにより特定される機器３５と通信端末１５とがＵＳＢ通信を行う際に経由するのに適した無線基地局のＳＳＩＤである。
【００９１】
ＢＳＳＩＤは、機器ＩＤにより特定される機器３５と通信端末１５とがＵＳＢ通信を行う際に経由するのに適した無線基地局のＢＳＳＩＤである。
【００９２】
機器接続情報Ｔ６０１において、機器ＩＤにより特定される機器３５と、機器３５と通信するために経由するのに適切な無線基地局３２の通信路２２の属性情報２２Ａに含まれるＳＳＩＤ及びＢＳＳＩＤとが対応付けて示されている。
【００９３】
なお、機器接続情報Ｔ６０１において、機器ＩＤにより特定される機器３５と、機器３５に接続された機器サーバ１１にＬＡＮ４１で接続された無線基地局３２の通信路２２の属性情報２２Ａに含まれるＳＳＩＤ及びＢＳＳＩＤとを対応付けてもよい。
【００９４】
図７及び図８は、それぞれ、本実施の形態に係る通信端末及び機器サーバのフローチャートである。図９は、本実施の形態に係る通信システムのシーケンス図である。これらを参照しながら、本実施の形態に係る通信システムの通信の流れを説明する。なお、これらの図面において、無線基地局３１のことをＡＰ１と、無線基地局３２のことをＡＰ２と、それぞれ記載する場合がある。
【００９５】
図７は、本実施の形態に係る通信端末の処理を示すフローチャートである。
【００９６】
ステップＳ７０１において、確立部１６１は、無線基地局３１との間で通信リンク２５を確立する。例えば、無線基地局３２より無線基地局３１に近い位置に通信端末１５があるときに、通信端末１５の無線通信を開始（無線通信モジュールの開始、又は、通信端末１５の電源オンなどによる）した場合に、上記のように、通信端末１５が無線基地局３１と通信リンク２５を確立することとなる。また、通信リンク２５は、通信端末１５の確立部１６１と無線基地局３１との間で、認証及び接続確立のための通信が行われた上で確立される。なお、ステップＳ７０１は、図９における確立９０１に相当する。
【００９７】
ステップＳ７０２において、受信部１６２は、通信リンク２５を通じて機器サーバ１１から機器接続情報を取得する。上述した様に、通信システム５０中に複数の機器サーバが存在する場合は、これら複数の機器サーバからそれぞれ機器接続情報を取得することとなる。なお、機器接続情報を取得するには、先立って通信端末１５が機器サーバ１１へ機器接続情報の取得要求を送信し、送信した取得要求に応じて機器サーバ１１が通信端末１５に送信したものを受信部１６２が受信することで取得するようにしてもよい。また、機器サーバ１１が定期的に、その時点での最新の機器接続情報を送信するようにしておき、送信された機器接続情報を受信部１６２が受信するようにしてもよい。なお、ステップＳ７０２は、図９における機器接続情報９０２及び９０３に相当する。
【００９８】
ステップＳ７０３において、受付部１６５は、ユーザにより指定される指定機器を示す指定情報を受け付ける。ここで、ユーザにより指定される指定機器が機器３５である場合について、以降で説明を続ける。なお、ステップＳ７０３は、図９における「機器指定を受付」９０４に相当する。
【００９９】
ステップＳ７０４において、電波強度判定部１６４は、通信端末１５のＷＮＩＣ１５５が無線基地局３２から受信する電波の受信電波強度を取得する。ここで、無線基地局３２が選ばれた理由は、機器サーバ１１から取得した機器接続情報に基づくものであるが、ステップＳ７０３でユーザにより指定される指定機器である機器３５と無線基地局３２とが機器接続情報で対応付けられているからである。なお、ステップＳ７０４は、図９における「受信電波強度を取得」９０５に相当する。
【０１００】
ステップＳ７０５において、電波強度判定部１６４は、ステップＳ７０４で取得した受信電波強度が第一閾値以上であるか否かを判定する。
【０１０１】
ステップＳ７０５で、受信電波強度が第一閾値以上であると電波強度判定部１６４が判定した場合（ステップＳ７０５でＹｅｓ）、ステップＳ７０６において、確立部１６１は、無線基地局３１との通信リンク２５を切断する。なお、ステップＳ７０５は、図９における切断９０６に相当する。
【０１０２】
ステップＳ７０７において、確立部１６１は、無線基地局３２との通信リンク２６を確立する。なお、ステップＳ７０７は、図９における確立９０７に相当する。
【０１０３】
ステップＳ７０８において、機器通信部１６３は、無線基地局３２及び機器サーバ１１を介して機器３５とＵＳＢ通信を行う。なお、ステップＳ７０８は、図９におけるＵＳＢ通信９０８に相当する。
【０１０４】
一方、ステップＳ７０５で、受信電波強度が第一閾値以上でないと電波強度判定部１６４が判定した場合（ステップＳ７０５でＮｏ）、ステップＳ７１１へ移る。
【０１０５】
ステップＳ７１１において、機器通信部１６３は、無線基地局３１、無線基地局３２及び機器サーバ１１を介して機器３５とＵＳＢ通信を行う。つまり、確立部１６１による無線基地局に切り替えをすることなく、確立していた通信リンク２５を用いて機器通信部１６３がＵＳＢ通信を行う。
【０１０６】
図８は、本実施の形態に係る機器サーバの処理を示すフローチャートである。
【０１０７】
ステップＳ８０１において、生成部１１１は、機器３５を示す情報と、無線基地局３２を示す情報とを対応付けて示す機器接続情報を生成する。
【０１０８】
ステップＳ８０２において、送信部１１２は、ステップＳ８０１で生成部１１１が生成した機器接続情報を通信端末１５に送信する。送信した機器接続情報は、無線基地局３１と通信端末１５との間で確立された通信リンク２５を通じて通信端末１５に受信される。なお、ステップＳ８０２は、図９における機器接続情報９０２の通信に相当する。
【０１０９】
ステップＳ８０３において、無線基地局３２と通信端末１５との間で確立された通信リンク２６を通じた通信端末１５と機器３５との間のＵＳＢ通信を中継する。もちろん通信リンク２５を経由するか通信リンク２６を経由するかは、図７におけるステップＳ７０５の判断結果にも依存するが、図９では通信リンク２６を選択した場合を図示している。なお、ステップＳ８０３は、図９におけるＵＳＢ通信９０８に相当する。
【０１１０】
次に、通信端末と機器サーバとの通信の通信経路について、従来技術における場合と、本実施の形態に係る場合とを比較しながら説明する。
【０１１１】
図１０Ａは、従来技術における機器サーバと通信端末との通信経路の説明図である。
【０１１２】
図１０Ａに示される通信システム５０Ａは、従来の機器サーバ１００１と通信端末１００２とを、本実施の形態に係る機器サーバ１１と通信端末１５とに代えてそれぞれ用いて構成された通信システムである。
【０１１３】
通信システム５０Ａにおいて、当初、無線基地局３１との間で通信リンク２５を確立した通信端末１００２が、機器サーバ１００１を介して機器３５とＵＳＢ通信しようとするときには、通信経路１００５で通信を行う。すなわち、通信端末１００２は、確立していた通信リンク２５を用いて機器サーバ１００１を経由する通信経路１００５を用いる。通信経路１００５は、通信端末１００２と無線基地局３２との間で、無線基地局３１と、通信リンク２５と、ＬＡＮ４０とを経由する通信経路である。
【０１１４】
図１０Ｂは、実施の形態１に係る通信端末と機器サーバとの通信経路の説明図である。
【０１１５】
図１０Ｂに示される通信システム５０は、本実施の形態に係る機器サーバ１１と通信端末１５とを用いて形成された通信システムである。
【０１１６】
通信システム５０において、当初、無線基地局３１との間で通信リンク２５を確立した通信端末１５が、機器サーバ１１を介して機器３５とＵＳＢ通信しようとするときには、通信経路１０１５で通信を行う。すなわち、通信端末１５は、無線基地局３２からの電波の受信電波強度が一定以上である場合、確立していた通信リンク２５を切断し、無線基地局３２との間で新たに通信リンク２６を確立し、確立した通信リンク２６を用いて機器サーバ１１を経由する通信経路１０１５を用いる。通信経路１０１５は、通信端末１５と無線基地局３２との間で、通信リンク２６のみを経由する通信経路である。このように、本実施の形態に係る通信端末１５及び機器サーバ１１によれば、通信端末１５と機器サーバ１１とは、より適切な経路で通信を行うことができる。
【０１１７】
以上のように、本実施の形態に係る通信システムによれば、通信端末は、複数の無線基地局のうち、接続しようとする機器に所定の接続規格で接続された機器サーバにより対応付けられた無線基地局との間で通信リンクを確立し、確立した通信リンクを介して機器と通信することができる。
【０１１８】
従来技術によれば、機器に接続しようとする前に確立していた通信リンクの通信品質が良好である場合、上記のように新たな通信リンクを確立することは、行われない。そのため、通信端末との機器との通信の通信経路が必ずしも最適なものとならない。
【０１１９】
本発明によれば、機器に接続しようとする前に確立していた通信リンクの通信品質が良好であったとしても、通信端末が接続しようとする機器に対応する無線基地局との間で新たに通信リンクを確立する。よって、本発明の一態様に係る通信システムは、通信端末と機器サーバとの間でより適切な通信経路を選択することができる。
【０１２０】
また、通信端末は、通信端末が接続しようとする機器に対応する無線基地局との間で良好な通信が可能である場合に、当該無線基地局との間で新たに通信リンクを確立する。よって、通信システムは、通信端末と機器サーバとの間でより適切な通信経路を選択し、選択した通信経路で良好に通信することができる。
【０１２１】
また、通信端末は、通信端末が接続しようとする機器に対応する無線基地局との通信品質が良好か否かの判定基準として、ローミングに用いられる受信電波強度の閾値（第二閾値）より大きい閾値を用いる。つまり、新たに通信リンクを確立する無線基地局から受信する電波の受信電波強度が、ローミングによるＡＰ切り替えの場合よりも厳しい基準を満たす場合に、本発明に係る通信経路選択によるＡＰ切り替えを行うようにする。よって、通信システムは、通信端末と機器サーバとの間でより適切な通信経路を選択し、選択した通信経路で良好に通信することができる。
【０１２２】
また、通信端末は、ユーザにより指定された機器（指定機器）に対応する無線基地局との間で通信リンクを確立する。通信端末は、確立した通信リンクを介して通信することで、指定機器との間で適切な通信経路となる通信を行うことができる。
【０１２３】
また、通信端末は、機器を示す機器ＩＤが取得された場合に、当該機器に対応する無線基地局の無線通信路を特定し、特定した無線通信路において新たな通信リンクを確立することができる。これにより、当該無線基地局との間で新たな通信リンクを確立することができる。
【０１２４】
また、通信端末は、ＳＳＩＤが同一の複数の無線基地局を含んで構成される通信システムにおいて、複数の無線基地局のうち、機器と通信するのに適切な無線基地局を選択し、選択した無線基地局を経由した通信経路で機器と通信することができる。
【０１２５】
また、通信端末は、通信端末とＵＳＢ機器との間で行うＵＳＢ通信を中継する機器サーバを用いてＵＳＢ機器との通信を行う際に、当該機器サーバに対応する無線基地局との間で通信リンクを確立することができる。
【０１２６】
また、機器サーバ機能を備えた無線基地局、又は、無線基地局機能を備えた機器サーバにおいても、上記と同様の効果を奏する。
【０１２７】
（実施の形態１の変形例１）
本変形例においては、複数の機器サーバが複数の無線基地局に接続されている通信システムであって、通信端末と機器サーバとの間でより適切な通信経路を選択する通信システムについて説明する。
【０１２８】
図１１は、本変形例に係る通信システム５１のネットワーク構成図である。
【０１２９】
図１１に示される通信システム５１は、機器サーバ１１Ａ及び１１Ｂと、通信端末１５と、無線基地局３１及び３２と、ＬＡＮ４０、４１Ａ及び４１Ｂとを備える。なお、上記の各構成要素のうち、実施の形態１におけるものと同様であるものは、同一の符号を付し詳細な説明を省略する。
【０１３０】
機器サーバ１１Ａは、プリンタＡ及び表示装置Ａに、ＵＳＢケーブルにより接続されている。プリンタＡ及び表示装置Ａのそれぞれは、実施の形態１における機器３５に相当する。
【０１３１】
機器サーバ１１Ｂは、プリンタＢ及び表示装置Ｂに、ＵＳＢケーブルにより接続されている。プリンタＢ及び表示装置Ｂのそれぞれは、実施の形態１における機器３５に相当する。
【０１３２】
図１２Ａは、本変形例に係る複数の無線基地局から取得された機器接続情報により作成される機器接続情報の一例を示す説明図である。
【０１３３】
図１２Ａに示される機器接続情報Ｔ１２０１は、機器接続情報Ｔ６０１と同様に機器ＩＤと、ＳＳＩＤと、ＢＳＳＩＤとを含む。
【０１３４】
図１１に示されるように複数の機器サーバ、及び、複数の機器が存在している場合には、図１２Ａに示される機器接続情報Ｔ１２０１に、機器の数だけのエントリが存在する。複数の機器サーバのそれぞれ（１１Ａ及び１１Ｂ）が自装置に接続している機器についての機器接続情報を送信するので、通信端末１５は、機器サーバが送信した機器接続情報を受信し、受信した機器接続情報のそれぞれを統合したものを機器接続情報Ｔ１２０１として保有するからである。
【０１３５】
具体的には、機器接続情報Ｔ１２０１は、機器ＩＤとして、プリンタＡ（ＰＲＴ−Ａ）、表示装置Ａ（ＤＩＳＰ−Ａ）、プリンタＢ（ＰＲＴ−Ｂ）、及び表示装置Ｂ（ＤＩＳＰ−Ｂ）を有する。そして、上記の機器ＩＤごとに、上記の機器ＩＤの機器がＵＳＢで接続されている無線基地局が提供する無線通信路のＳＳＩＤ及びＢＳＳＩＤが示されている。
【０１３６】
以降において、当初、通信端末１５が無線基地局３１との間で通信リンク２５を確立し、その後、プリンタＢとの間でＵＳＢ通信をしようとする場合の処理について説明する。
【０１３７】
通信端末１５の受信部１６２は、ステップＳ７０２（図７）において機器接続情報Ｔ１２０１を受信する。そして、機器接続情報Ｔ１２０１の機器ＩＤに示される機器のうち、無線基地局３２のＳＳＩＤ及びＢＳＳＩＤに対応付けられている機器と通信を行う場合には、確立部１６１は、確立した通信リンク２５を切断し（図７のステップＳ７０６）、通信を行う相手先の機器ＩＤに対応付けられたＳＳＩＤ及びＢＳＳＩＤで特定される通信路２２上で新たに通信リンク２６を確立する（図７のステップＳ７０７）。そして、新たに確立した通信リンク２６を通じて機器と通信を行う。
【０１３８】
以上のように、本変形例に係る通信システムによれば、複数の機器サーバが複数の無線基地局に接続している通信システムにおいても、通信端末と機器サーバとの間でより適切な通信経路を選択することができる。
【０１３９】
（実施の形態１の変形例２）
本変形例においては、複数の無線基地局が接続されているＬＡＮに、機器サーバが接続される通信システムであって、通信端末と機器サーバとの間でより適切な通信経路を選択する通信システムについて説明する。
【０１４０】
図１２Ｂは、本変形例２に係る通信システムのネットワーク構成図である。
【０１４１】
図１２Ｂに示される通信システム５０Ｂは、機器サーバ１１と、通信端末１５と、無線基地局３１及び３２と、機器３５と、ＬＡＮ４０及び４１Ｃと、接続ケーブル４２とを備える。なお、上記の各構成要素のうち、実施の形態１におけるものと同様であるものは、同一の符号を付し詳細な説明を省略する。
【０１４２】
通信システム５０Ｂは、実施の形態１の通信システム５０におけるＬＡＮ４１の代わりにＬＡＮ４１Ｃを備える。その他の点については、実施の形態１の通信システム５０におけるＬＡＮ４１と同じである。
【０１４３】
ＬＡＮ４１Ｃは、機器サーバ１１とＬＡＮ４０とに接続される。機器サーバ１１が無線基地局３２と通信する場合、ＬＡＮ４１Ｃ及び４０を介した通信経路を用いる。
【０１４４】
通信システム５０Ｂにおいては、実施の形態１における通信システム５０と同様に、機器接続情報の中に通信端末と機器サーバとの間の経路特性を含めることによって、より適切な通信経路を通信端末が選択することができる。例えば、ＬＡＮ４０上において、無線基地局３１と無線基地局３２との間にルータが存在するような場合、通信端末１５は、機器サーバ１１との通信において、経由するルータの数がより少ない通信経路を選択することができる。すなわち、機器サーバ１１が、上記の通信経路上のルータの数を機器接続情報に含めるようにすれば、当該機器接続情報を受信した通信端末１５が、経由するルータの数がより少ない通信経路を選択することができる。通信経路上のルータの数は、例えば、ＲＩＰ（Ｒｏｕｔｉｎｇ  Ｉｎｆｏｒｍａｔｉｏｎ  Ｐｒｏｔｏｃｏｌ）などのルーティングプロトコルにより取得することができる。
【０１４５】
図１２Ｃは、本変形例に係る複数の無線基地局から取得された機器接続情報により作成される機器接続情報の一例を示す説明図である。
【０１４６】
図１２Ｃは、図６に示した機器接続情報Ｔ６０１に対して、新たにルータ数を示す列が追加された機器接続情報Ｔ１２１１を示している。機器接続情報Ｔ１２１１を有する通信端末が機器ＰＲＴ１と通信を行う際には、経由するルータ数が最も少ない通信経路となるように無線基地局（この例では、ＳＳＩＤがＳＳ３であり、ＢＳＳＩＤがＢＳ６である無線基地局）を選択する。この選択は、通信端末が自動的に選択してもよいし、ユーザに複数の経路を示してユーザに選択させてもよい。
【０１４７】
なお、経路特性としては、上述したルータの数の代わりに、ＬＡＮ４０の通信リンクの種別又は帯域を反映した指標を用いてもよい。
【０１４８】
以上のように、本変形例に係る通信システムによれば、無線基地局同士を接続するＬＡＮ上にルータなどのネットワーク機器が存在する場合に、経由する最適なネットワーク機器を通じた通信経路を用いて通信することができる。
【０１４９】
（実施の形態２）
本実施の形態において、複数の無線基地局のＳＳＩＤが互いに異なる通信システムであって、通信端末と機器サーバとの間でより適切な通信経路を選択する通信システムなどについて説明する。
【０１５０】
図１３は、本実施の形態に係る通信システムのネットワーク構成図である。
【０１５１】
通信システム５２は、機器サーバ１１Ａ及び１１Ｂと、通信端末１５と、無線基地局３１及び３２Ｂと、ＬＡＮ４０、４１Ａ及び４１Ｂとを備える。なお、上記の各構成要素のうち、実施の形態１におけるものと同様であるものは、同一の符号を付し詳細な説明を省略する。
【０１５２】
実施の形態１と異なる点は、無線基地局３２Ｂが、無線基地局３１と異なるＳＳＩＤを属性情報として有する点である。
【０１５３】
無線基地局３２Ｂは、無線基地局３１と同様に、無線通信インタフェースを有する無線基地局装置である。無線基地局３２Ｂは、通信端末１５との間で通信リンク２６Ｂを確立し、無線通信を行う。無線基地局３２Ｂの通信路２２Ｂの属性情報２２Ｃは、ＳＳＩＤが「ＳＳ２」であり、ＢＳＳＩＤが「ＢＳ２」である。つまり、無線基地局３１の通信路２１と、無線基地局３２Ｂの通信路２２Ｂとは、ＳＳＩＤが互いに異なり、また、ＢＳＳＩＤが互いに異なる。なお、無線基地局３２Ｂは、第二基地局に相当する。
【０１５４】
図１４は、本変形例に係る複数の無線基地局から取得された機器接続情報により作成される機器接続情報の一例を示す説明図である。
【０１５５】
図１４に示される機器接続情報Ｔ１４０１は、機器接続情報Ｔ６０１と同様に機器ＩＤと、ＳＳＩＤと、ＢＳＳＩＤとを含む。
【０１５６】
図１４に示されるように、機器接続情報Ｔ１４０１は、機器ごとに、当該機器に接続している機器サーバが接続する無線基地局のＳＳＩＤ及びＢＳＳＩＤが示されている。複数の機器サーバのそれぞれ（１１Ａ及び１１Ｂ）が自装置に接続している機器についての機器接続情報を送信するので、通信端末１５は、機器サーバが送信した機器接続情報を受信し、受信した機器接続情報のそれぞれを統合したものを機器接続情報Ｔ１４０１として保有するからである。
【０１５７】
当初、通信端末１５が無線基地局３１との間で通信リンク２５を確立し、その後、プリンタＢとの間でＵＳＢ通信をしようとする場合、実施の形態１の変形例１と同様の処理により新たに確立した通信リンク２６を通じた機器との通信が可能である。
【０１５８】
以上のように、本実施の形態に係る通信システムによれば、通信端末は、ＳＳＩＤが互いに異なる複数の無線基地局を含んで構成される通信システムにおいて、複数の無線基地局のうち、機器と通信するのに適切な無線基地局を選択し、選択した無線基地局を経由した通信経路で機器と通信することができる。
【０１５９】
（実施の形態３）
本実施の形態において、無線基地局と機器サーバとが無線通信によって通信する通信システムであって、通信端末と機器サーバとの間でより適切な通信経路を選択する通信システムなどについて説明する。
【０１６０】
図１５は、本実施の形態に係る通信システムのネットワーク構成図である。
【０１６１】
通信システム５３は、機器サーバ１１Ｃと、通信端末１５と、無線基地局３１及び３２と、ＬＡＮ４０と、接続ケーブル４２とを備える。なお、上記の各構成要素のうち、実施の形態１におけるものと同様であるものは、同一の符号を付し詳細な説明を省略する。
【０１６２】
実施の形態１と異なる点は、機器サーバ１１Ｃが通信リンク２７を通じて無線基地局３２と通信可能である点である。
【０１６３】
図１５において、当初、通信端末１５が無線基地局３２との間で通信リンク２６を確立し、その後、機器３５とＵＳＢ通信をしようとするときの処理について以下で説明する。
【０１６４】
通信端末１５の電波強度判定部１６４は、図７のステップＳ７０４の処理に代えて、ＷＮＩＣ１５５が無線基地局３１から受信する電波の受信電波強度を取得する。ここで、無線基地局３１が選ばれた理由は、以下のように説明される。
【０１６５】
ユーザにより指定された指定機器が機器３５であり、ＵＳＢ規格で機器３５に接続された機器サーバ１１に、ＬＡＮ４０で接続された無線基地局が無線基地局３２であるので、実施の形態１又は２によれば、通信端末１５は無線基地局３２との通信リンクを確立するのが適切といえる。しかし、本実施の形態は、実施の形態１又は２と異なり、無線基地局３２が機器サーバ１１Ｃとの通信リンクを確立しているので、さらに通信端末１５との通信リンクを確立すると、通信品質の劣化、又は、スループットの低下を招く可能性がある。
【０１６６】
そこで、本実施の形態において、通信端末１５は、無線基地局３２を除く無線基地局であって好適な無線基地局３１との間で通信リンクを確立する。好適な無線基地局の選択は、実施の形態１で述べたように、機器サーバ１１Ｃが機器接続情報により通信端末１５に指示してもよいし、実施の形態１の変形例２で述べたように、機器接続情報をもとに通信端末１５側が選択してもよい。いずれにしても、無線基地局と機器サーバとが無線通信によって通信する通信システムにおいては、通信端末が接続すべき基地局は「機器サーバが接続された無線基地局」以外から選択することが重要である。このようにすることで、機器サーバ１１Ｃと無線基地局３２との通信リンク、及び、通信端末１５と無線基地局３１との通信リンクのそれぞれの通信品質又はスループットを維持することができる。
【０１６７】
図７のステップＳ７０４より後の処理、及び、図８に示される処理についても、無線基地局３１と無線基地局３２とを入れ替えた処理を行うことで、本実施の形態におけるＡＰ切り替え処理を実現することができる。
【０１６８】
以上のように、本実施の形態に係る通信システムによれば、機器サーバが無線基地局に無線通信により接続されている場合に、当該無線通信が行われていない通信路のうちから適切なものを選択し、選択した通信路において、無線通信を行うことができる。
【０１６９】
以上、本発明の通信システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１７０】
本発明は、通信端末と機器サーバとの間でより適切な通信経路を選択する通信システムに利用可能である。具体的には、工場又はオフィスにおける無線ＬＡＮ又は有線ＬＡＮなどに利用可能である。
【符号の説明】
【０１７１】
１１、１１Ａ、１１Ｂ、１１Ｃ、１００１    機器サーバ
１５、１００２    通信端末
２１、２２、２２Ｂ    通信路
２１Ａ、２２Ａ、２２Ｃ    属性情報
２５、２６、２６Ｂ、２７    通信リンク
３１、３２、３２Ｂ    無線基地局
３５    機器
４０、４１、４１Ａ、４１Ｂ、４１Ｃ    ＬＡＮ
４２    接続ケーブル
５０、５０Ａ、５０Ｂ、５１、５２、５３    通信システム
１０１、１５１、３０１    ＣＰＵ
１０２、１５２、３０２    ＲＯＭ
１０３、１５３、３０３    ＲＡＭ
１０４、１５４、３０４    記憶装置
１０５、３０６    ＮＩＣ
１０６    ＵＳＢ−ＩＦ
１１１    生成部
１１２    送信部
１１３    中継部
１５５、３０５    ＷＮＩＣ
１６１    確立部
１６２    受信部
１６３    機器通信部
１６４    電波強度判定部
１６５    受付部
１００５、１０１５    通信経路
Ｔ６０１、Ｔ１２０１、Ｔ１２１１、Ｔ１４０１    機器接続情報
【図１】
2015119354.tif 000003
【図２】
2015119354.tif 000004
【図３】
2015119354.tif 000005
【図４】
2015119354.tif 000006
【図５】
2015119354.tif 000007
【図６】
2015119354.tif 000008
【図７】
2015119354.tif 000009
【図８】
2015119354.tif 000010
【図９】
2015119354.tif 000011
【図１０Ａ】
2015119354.tif 000012
【図１０Ｂ】
2015119354.tif 000013
【図１１】
2015119354.tif 000014
【図１２Ａ】
2015119354.tif 000015
【図１２Ｂ】
2015119354.tif 000016
【図１２Ｃ】
2015119354.tif 000017
【図１３】
2015119354.tif 000018
【図１４】
2015119354.tif 000019
【図１５】
2015119354.tif 000020